(57)【特許請求の範囲】
【請求項１】
餌の形態を模した浮力を有する疑似餌の前端に重さの異なる重量調整錘を着脱可能に装着することに伴う疑似餌の水中での姿勢状態の変化を制御する、疑似餌の姿勢状態変化制御方法であって、
重さの異なる前記重量調整錘にそれぞれ釣糸が係止される釣糸係止部を設け、重量が重い前記重量調整錘ほど前記釣糸係止部を前記重量調整錘の後方側に位置させ、前記釣糸係止部を有する重量調整錘を前記疑似餌の前端に対して選択的に装着することにより、重量変化に伴う疑似餌の水中での姿勢状態の変化を制御することを特徴とする疑似餌の姿勢状態変化制御方法。
【請求項２】
釣糸が係止される釣糸係止部を有し、疑似餌の前端部に着脱可能に選択的に取り付けられる互いに重量が異なる一組の重量調整錘であって、その重量が重いほど前記釣糸係止部が重量調整錘の後方側に位置されていることを特徴とする一組の重量調整錘。
【請求項３】
前記重量調整錘には、疑似餌前端のアイ部が貫通する貫通孔が更に設けられ、
前記貫通孔は、重量調整錘が疑似餌に装着された際に、前記アイ部を重量調整錘の前端から突出させて疑似餌に対する重量調整錘の抜け止めを可能としたことを特徴とする請求項２に記載の重量調整錘。
【発明の詳細な説明】
【技術分野】
【０００１】
本発明は、餌の形態を模した浮力を有する疑似餌の前端に重さの異なる重量調整錘を着脱可能に装着することに伴う疑似餌の水中での姿勢状態の変化を制御する疑似餌の姿勢状態変化制御方法、および、そのような方法に用いられる重量調整錘に関する。
【背景技術】
【０００２】
従来、魚釣りに用いられる疑似餌として、様々な形態のものがあり、例えば、イカ釣りに際しては、「餌木」と称される疑似餌を用いることが知られている。通常、餌木は、小魚や海老等に似せた胴部（本体）と、胴部の前方側の下部に突出するように取り付けられた錘と、胴部前端に設けられた釣糸接続環（アイ部とも称する）と、胴部の後端に設けられ、先端を前方に向けた釣り針とを有している。このように構成される餌木は、釣糸接続環に釣糸を取り付けて、ルアーキャスティングと同様、ポイントに投げ込んでリールで釣糸を巻く際に、釣竿を煽ることでアクションを与えると、イカは、餌木の動きに誘われて餌木に抱きつく。そして、餌木に抱きついたイカは、胴部後端に設けられた釣り針に掛かって釣り上げることが可能となる。
【０００３】
上記したアクションにおいて、餌木は、釣竿を煽ることで水面に向けて上昇し、釣竿の煽りを止めることで胴部の前方側の下部に設けられた錘によって前方を下向きにして沈んで行き、このような水中の上下運動でイカを誘うようにしている。この場合、本体に取り付けられた錘の重量によって餌木の沈み具合が異なることから、従来から、錘の重量を可変にして重量調整を行なうことができるようにしている。
【０００４】
例えば特許文献１では、餌木の本体の前方側の下部に突出するように取り付けられる前記錘を本体に対して着脱自在にすることにより、錘の重量を可変にして重量調整を行なえるようにしている。また、特許文献２では、餌木ではないが、小魚や海老等の頭部の形態を模した重量調整錘を疑似餌の先端部に被せるように着脱自在に装着することにより、錘の重量を変えることができるようにしている。
【先行技術文献】
【特許文献】
【０００５】
【特許文献１】特開平１１−１２７７３１号
【特許文献２】特開平１１−２８９９２１号
【発明の概要】
【発明が解決しようとする課題】
【０００６】
確かに、上記構成の重量調整錘を用いれば、餌木全体の重さを調整することができるが、餌木本体の特定の部位で重量が変化すると、水中での餌木の姿勢が崩れて餌木の動きが不自然になる場合がある。すなわち、特許文献１および特許文献２に開示されるように餌木本体の前部で重量調整錘により重量変化が生じると、釣糸を介してアクション（張力）を加えた際の水中での餌木の引き上げ姿勢、釣糸張力を弱めた際の沈み込み姿勢、あるいは、餌木を水中で漂わせる際のキープ姿勢などが所望の姿勢から崩れてしまう場合がある。また、このような問題は、餌木に限らず、ルアー等の様々な疑似餌にも存在する。
【０００７】
本発明は、上記した問題に着目してなされたものであり、重量調整錘の取り付けに伴う重量変化によって疑似餌の姿勢が崩れること（疑似餌の姿勢状態の変化）を制御して水中での自然な動きを実現できる疑似餌の姿勢状態変化制御方法及びそのための重量調整錘を提供することを目的とする。
【課題を解決するための手段】
【０００８】
上記した目的を達成するために、本発明は、餌の形態を模した浮力を有する疑似餌の前端に重さの異なる重量調整錘を着脱可能に装着することに伴う疑似餌の水中での姿勢状態の変化を制御する、疑似餌の姿勢状態変化制御方法であって、重さの異なる前記重量調整錘にそれぞれ釣糸が係止される釣糸係止部を設け、重量が重い前記重量調整錘ほど前記釣糸係止部を前記重量調整錘の後方側に位置させ、前記釣糸係止部を有する重量調整錘を前記疑似餌の前端に対して選択的に装着することにより、重量変化に伴う疑似餌の水中での姿勢状態の変化を制御することを特徴とする。
【０００９】
上記方法によれば、重量調整錘の重量が重いほど釣糸係止部が重量調整錘の後方側に位置されているため、疑似餌の重量変化に伴う水中での姿勢の崩れ（姿勢状態変化）を制御でき、したがって、疑似餌の水中での自然な動きを実現できる。すなわち、重量調整錘の重量が軽い場合には、重量調整錘の前方側、つまり重量調整錘の重心位置の前方側に釣糸係止部が位置されるため、例えば、釣竿を煽るアクション時に釣糸へ加えた張力を弱めた際に、重量調整錘の重心が釣糸の延長線下へ移行しようとする重量調整錘の下方へ向けた回転が、重量調整錘の重量（重量調整錘に作用する重力）に抗する疑似餌本体の上方へ向かう浮力によって抑制されて、疑似餌の姿勢が水平に保たれる（重量変化に伴う疑似餌の水中での姿勢状態の変化が制御されて所望の水平姿勢が保たれる）といった状況を生み出すことができる（水中での疑似餌の自然な動きを実現できる）一方、前記重量調整錘の重量が重い場合には、重量調整錘の後方側、すなわち重量調整錘の重心位置の方向へ釣糸係止部が位置されるため、例えば、釣竿を煽るアクション時に釣糸へ加えた張力を弱めた際でも、重量調整錘の重心が釣糸の延長線下にほぼ位置されることから、重量調整錘の回転が殆ど生じることなく、疑似餌の姿勢が水平に保たれる（重量変化に伴う疑似餌の水中での姿勢状態の変化が制御されて所望の水平姿勢が保たれる）といった状況を生み出すことができる（水中での疑似餌の自然な動きを実現できる）。
【００１０】
また、本発明は、釣糸が係止される釣糸係止部を有し、疑似餌の前端部に着脱可能に選択的に取り付けられる互いに重量が異なる一組の重量調整錘であって、その重量が重いほど前記釣糸係止部が重量調整錘の後方側に位置されていることを特徴とする一組の重量調整錘も提供する。また、この構成において、重量調整錘は、釣糸を連結可能な疑似餌の前端のアイ部が貫通できる貫通孔を更に有し、該貫通孔は、重量調整錘が疑似餌に取り付けられた際に、前記アイ部を重量調整錘の前端から突出させることが好ましい。
【発明の効果】
【００１１】
本発明によれば、重量調整錘の重量が大きいほど釣糸係止部が重量調整錘の後方側に位置されているため、重量調整錘の取り付けに伴う重量変化によって疑似餌の姿勢が崩れること（疑似餌の姿勢状態の変化）を制御して水中での自然な動きを実現できる。
【図面の簡単な説明】
【００１２】
【図１】本発明の一実施形態に係る疑似餌の側面図であり、（ａ）は軽い重量調整錘を疑似餌本体に取り付けた状態を示す図、（ｂ）は重い重量調整錘を疑似餌本体に取り付けた状態を示す図である。
【図２】疑似餌本体に対する重量調整錘の取り付け形態を示す概略側面図である。
【図３】軽い重量調整錘を疑似餌本体に取り付けて成る疑似餌の水中での姿勢を示す図であり、（ａ）は本発明の一実施形態に係る軽い重量調整錘（重量調整錘の前端に釣糸係止部が位置される）を疑似餌本体に取り付けた状態の図、（ｂ）は比較例として後端に釣糸係止部が位置された軽い重量調整錘を疑似餌本体に取り付けた状態の図である。
【図４】重い重量調整錘を疑似餌本体に取り付けて成る疑似餌の水中での姿勢を示す図であり、（ａ）は比較例として前端に釣糸係止部が位置された重い重量調整錘を疑似餌本体に取り付けた状態の図、（ｂ）は本発明の一実施形態に係る重い重量調整錘（重量調整錘の後方側、例えば略中間部に釣糸係止部が位置される）を疑似餌本体に取り付けた状態の図である。
【発明を実施するための形態】
【００１３】
以下、図面を参照して、本発明の実施形態に係る疑似餌について具体的に説明する。  
図１は、本発明の一実施形態に係る疑似餌の側面図であり、（ａ）は軽い重量調整錘を疑似餌本体に取り付けた状態を示す図、（ｂ）は重い重量調整錘を疑似餌本体に取り付けた状態を示す図である。
【００１４】
これらの図から分かるように、本実施形態における疑似餌１は、主にイカ釣りに適した構造となっており、例えば、合成樹脂材料（合成樹脂製の発泡材を含む）や木材で形成され、前後方向に長く小魚や海老等の生き物（餌）の形態を模して構成された浮力を有する疑似餌本体３と、疑似餌本体３の前端部（先端部）に着脱可能に取り付けられる重量調整錘２０とを有している。この場合、重量調整錘２０は、重量が異なるものが複数用意されており、必要に応じて疑似餌本体３の前端部に選択的に取り付けられる。
【００１５】
疑似餌本体３の前端（先端）には、釣糸が連結できるように、金属等によって形成されたリング状のアイ部５が設けられており、後端には、先端が前方を向いた複数の釣り針６が設けられている。また、疑似餌本体３の前方側の下部には、板状に形成された錘７が、その一部を疑似餌本体３に差し込まれて取り付けられている。さらに、疑似餌本体３には、必要に応じて目８やひれ部材９等が設けられている。
【００１６】
重量調整錘２０は、図２にも示されるように、疑似餌本体３の前端部に対して着脱可能に被着できるように、内部に空洞３３を有する筒状に形成されている。また、重量調整錘２０は、疑似餌本体３の重量を調整するように、例えば、ＳＵＳ、タングステン、スズ、鉛、熱可塑性樹脂とタングステンの複合材料（タングステン粉末を分散した樹脂）等によって形成することが可能である。また、重量調整錘２０の表面には、必要に応じて、本体と同様な模様を設けておいても良い。
【００１７】
また、重量調整錘２０は、疑似餌本体３の前端のアイ部５が貫通できる貫通孔３１を空洞３３に連通して前方側に有している（図２参照）。そして、この構造では、重量調整錘２０が疑似餌本体３の前端部に被着して取り付けられた際に、アイ部５が貫通孔３１を貫通して重量調整錘２０の前端から突出するようになっている（図１参照）。
【００１８】
更に、本実施形態では、重量調整錘２０を疑似餌本体３の前端部に取り付けた際、重量調整錘２０が疑似餌本体３の前端部から抜け落ちることを防止する脱落防止手段が設けられている。この脱落防止手段は、例えば、貫通孔３１の径よりも大きく且つ貫通孔３１から突出するアイ部５に取り付けられるスプリットリングまたはスナップ３２（図１参照）によって形成される。
【００１９】
また、本実施形態において、重量調整錘２０には、釣糸が係止される釣糸係止部２１が設けられている。この場合、釣糸係止部２１は、重量調整錘２０の重量が重いほど重量調整錘の後方側に位置されている。すなわち、相対的に重量が軽い重量調整錘２０Ａでは、図１の（ａ）に示されるように釣糸係止部２１が重量調整錘２０の前方側に位置され（図１の（ａ）では、重量調整錘２０の前端に釣糸係止部２１が設けられ）、一方、相対的に重量が重い重量調整錘２０Ｂでは、図１の（ｂ）に示されるように釣糸係止部２１が重量調整錘２０の後方側に位置され（図１の（ｂ）では、重量調整錘２０の長手方向の略中間部に釣糸係止部２１が設けられ）ている。言い換えると、疑似餌本体３の前端部に選択的に取り付けられる重量調整錘２０は、その重量が重いほど釣糸係止部２１が重量調整錘２０の後方側に位置されている。
【００２０】
図３は、軽い重量調整錘を疑似餌本体３の前端部に取り付けて成る疑似餌１の水中での姿勢を示す図であり、図３の（ａ）は本実施形態に係る軽い重量調整錘２０Ａ（重量調整錘２０Ａの前端に釣糸係止部２１が位置される）を疑似餌本体３に取り付けた状態の図、（ｂ）は比較例として後端に釣糸係止部２１が位置された軽い重量調整錘２０’を疑似餌本体３に取り付けた状態の図である。本実施形態に係る図３の（ａ）の場合には、重量調整錘２０Ａの前端、すなわち重量調整錘２０Ａの重心Ｇの位置の前方側に釣糸係止部２１が位置されるため、釣竿を煽るアクション時に釣糸係止部２１に結合する釣糸Ｓへ加えた張力を弱めると、重量調整錘２０Ａの重心Ｇが釣糸Ｓの延長線Ｌ下へ移行しようとする重量調整錘２０Ａの下方へ向けた回転（図中に矢印で示される方向の回転・・・重量調整錘２０Ａの重心Ｇが釣糸Ｓの延長線Ｌ下へ移行してしまった仮想的な状態が図３の（ａ）の左側の囲みの中に二点鎖線で示されている）が、重量調整錘２０Ａの重量（重量調整錘２０Ａに作用する重力）に抗する疑似餌本体３の上方へ向かう浮力Ｆによって抑制される（錘２０Ａが軽いため、浮力Ｆによって疑似餌１の後方側が上方へ浮き上がる）。そのため、疑似餌１の姿勢を水平に保つことができ（重量変化に伴う疑似餌１の水中での姿勢状態の変化を制御して所望の水平姿勢を保つことができ）、水中での疑似餌１の自然な動きを実現できる。これに対し、後端に釣糸係止部２１が位置される軽い重量調整錘２０’を疑似餌本体３に取り付けた図３の（ｂ）の場合には、重量調整錘２０’の後端、すなわち重量調整錘２０’の重心Ｇの位置の後方側に釣糸係止部２１が位置されるため、釣竿を煽るアクション時に釣糸Ｓへ加えた張力を弱めると、重量調整錘２０’の重心Ｇが釣糸Ｓの延長線Ｌ下へ移行しようとする重量調整錘２０’の上方へ向けた回転（図中に矢印で示される方向の回転・・・重量調整錘２０’の重心Ｇが釣糸Ｓの延長線Ｌ下へ移行してしまった状態が図３の（ｂ）の左側の囲みの中に実線で示され、更に上方へ回転した状態が二点鎖線で示されている）と疑似餌本体３自体の浮力Ｆとによって疑似餌１の後方側が上方へと大きく浮き上がる（疑似餌１の頭部が下を向く）。したがって、疑似餌１の姿勢を水平に保つことができず、疑似餌１の水中での姿勢が不自然な状態となる。
【００２１】
図４は、重い重量調整錘を疑似餌本体３に取り付けて成る疑似餌１の水中での姿勢を示す図であり、図４の（ａ）は比較例として前端に釣糸係止部２１が位置された重い重量調整錘２０”を疑似餌本体３取り付けた状態の図、図４の（ｂ）は本実施形態に係る重い重量調整錘２０Ｂ（重量調整錘２０Ｂの後方側、ここでは重量調整錘２０Ｂの長手方向の略中間部に釣糸係止部２１が位置される）を疑似餌本体３に取り付けた状態の図である。図４の（ａ）の場合には、重量調整錘２０”の重心Ｇの位置の前方側に釣糸係止部２１が位置されるため、釣竿を煽るアクション時に釣糸Ｓへ加えた張力を弱めても、疑似餌本体３の浮力Ｆは重い重量調整錘２０”の重量に殆ど抗することができず、疑似餌１は（場合により重量調整錘２０”の下方へ向けた更なる回転を伴って）前部が上を向き且つ後部が下を向いたままとなる。したがって、疑似餌１の姿勢を水平に保つことができず、疑似餌１の水中での姿勢が不自然な状態となる。これに対し、本実施形態に係る図４の（ｂ）の場合には、重量調整錘２０Ｂの後方側、重量調整錘２０Ｂの重心Ｇの位置の直上近傍に釣糸係止部２１が位置されるため、釣竿を煽るアクション時に釣糸Ｓへ加えた張力を弱めると、重量調整錘２０Ｂの重心Ｇが釣糸Ｓの延長線Ｌ下にほぼ位置されることから、重量調整錘２０Ｂの回転が殆ど生じることなく、疑似餌１の姿勢がほぼ水平に保たれる（重量変化に伴う疑似餌１の水中での姿勢状態の変化を制御して所望の水平姿勢を保つことができ、水中での疑似餌１の自然な動きを実現できる）。
【００２２】
以上説明したように、本実施形態によれば、重量調整錘２０の重量が大きいほど釣糸係止部２１が重量調整錘２０の後方側に位置されているため、重量変化に伴う疑似餌１の姿勢の崩れを抑制して（重量変化に伴う疑似餌１の水中での姿勢状態の変化を制御して所望の水平姿勢を保つことができ）、水中での自然な動きを実現できる。
【００２３】
なお、本発明は、前述した実施形態に限定されず、その要旨を逸脱しない範囲で種々変形して実施することができる。例えば、前述した実施形態では、本発明がイカ釣りに際して用いられる餌木に適用されているが、本発明は、餌木以外の様々な疑似餌に適用できる。
【符号の説明】
【００２４】
１  疑似餌
３  疑似餌本体
５  アイ部
２０，２０Ａ，２０Ｂ  重量調整錘
２１  釣糸係止部
【図１】
0005596599.tif 000002
【図２】
0005596599.tif 000003
【図３】
0005596599.tif 000004
【図４】
0005596599.tif 000005